(57)【特許請求の範囲】
【請求項１】
長方形の踏み板１２の長辺に沿って形成された孔１５を覆うための踏み板の孔カバー２０を、前記孔１５に沿って細長く形成し、その上面の周縁部に緩い傾斜の面取りと表裏を連通する通水孔とを設けるとともに、長手方向の両端部に位置して表裏を貫く長孔２７を設け、その長孔２７の裏面にフック部材３５を配置し、その長孔２７を通してボルト３９をフック部材３５のボルト孔３８ｄへ緊締し、踏み板の孔カバー２０とフック部材３５との間に踏み板１２を挟持してなる側溝の踏み板の孔カバー装置。
【請求項２】
長方形の踏み板１２の両短辺に形成した手掛け孔１５において、踏み板の孔カバー２０を前記手掛け孔１５に沿って細長く形成し、その上面の周縁部に緩い傾斜の面取りと表裏を連通する通水孔とを設けるとともに、長手方向の両端部に位置して表裏を貫く長孔２７を設け、その長孔２７の裏面にフック部材３５を配置し、その長孔２７を通してボルト３９をフック部材３５のボルト孔３８ｄへ緊締し、踏み板の孔カバー２０とフック部材３５との間に踏み板１２を挟持してなる側溝の踏み板の孔カバー装置。
【発明の詳細な説明】
【０００１】
【産業上の利用分野】
この発明は道路の縁に設けられる側溝、若しくは、Ｕ字溝に被せる踏み板に関するもので、特に、踏み板に形成された孔を覆う踏み板の孔カバーに係るものである。
【０００２】
【従来の技術】
一般に道路の端に設けられるコンクリート製の側溝の蓋をなす踏み板１２は図７で示すように、コンクリートによって大略長方形の板状に形成され、その長辺に沿って排水用の孔を形成するべく、長方形の水抜き孔１５が形成されている。そして、この型は孔が大きいためグレーチング４１が付いている種類である。図８はＵ字溝の蓋形で水抜き孔は小さい。図９は、蓋Ａの短辺部分に手掛け用の切欠きＢがあり、長辺においてＵ字溝Ｃの溝に嵌合させ、Ｕ字溝Ｃの縁の部分で支承させている。
このような踏み板１２は、前記水抜き孔１５の部分が孔として残されるため、この孔の中に踏み板１２の上を歩行する歩行者の足や自転車の車輪が落ちて、転んだり怪我をしたりすることがあった。
また、そのような不具合を解消すべく、前記水抜き孔１５をグレーチング網をコンクリートの骨として入れ、孔を小さくする工夫はされていた。
【０００３】
【発明が解決しようとする課題】
しかしながら、前記水抜き孔１５をグレーチング網で小さくするものでは、初期は良いが年を経るに従って酸や塩分あるいは側溝を流れるカルキによる塩素ガスによって腐蝕したり、石等がはさまることにより網が抜け落ちる不具合があった。
他方、孔１５が小さいと踏み板１２には水がたまりやすくグレーチング網がぬれると滑りやすくなる不具合を生じた。
【０００４】
【課題を解決するための手段】
この発明は上記した課題を解消するためなされたもので、長方形の踏み板１２の長辺に沿って形成された孔１５を覆うための踏み板の孔カバー２０を、前記孔１５に沿って細長く形成し、その上面の周縁部に緩い傾斜の面取りと表裏を連通する通水孔とを設けるとともに、長手方向の両端部に位置して表裏を貫く長孔２７を設け、その長孔２７の裏面にフック部材３５を配置し、その長孔２７を通してボルト３９をフック部材３５のボルト孔３８ｄへ緊締し、踏み板の孔カバー２０とフック部材３５との間に踏み板１２を挟持したものである。
また、長方形の踏み板１２の両短辺に形成した手掛け孔１５において、踏み板の孔カバー２０を前記手掛け孔１５に沿って細長く形成し、その上面の周縁部に緩い傾斜の面取りと表裏を連通する通水孔とを設けるとともに、長手方向の両端部に位置して表裏を貫く長孔２７を設け、その長孔２７の裏面にフック部材３５を配置し、その長孔２７を通してボルト３９をフック部材３５のボルト孔３８ｄへ緊締し、踏み板の孔カバー２０とフック部材３５との間に踏み板１２を挟持したものである。
【０００５】
【作用】
踏み板の孔カバー２０は裏面と、裏面に取り付けたフック部材３５との間に踏み板１２を挟持することによって、踏み板１２の上面へ固定される。雨水や散水など路上の水は踏み板の孔カバー２０の周縁に設けた切欠き孔からなる多数の通水孔２１を通して側溝の中へ排除される。
踏み板の孔カバー２０を孔１５へ取り付けるには、まず、踏み板の孔カバー２０の裏面に、ボルト３９によってフック部材３５を緩く取り付けた後、フック部材３５を孔１５の中に垂らし、ボルト３９を操作して長孔２７の範囲内で移動させてフック部材３５の爪部３５ａを踏み板１２の裏面に係合させ、その後にボルト３９を緊締することによって固定する。なお、グレーチングを有する種類では、フック部材３５はグレーチング４１の細い隙間を貫いて踏み板１２を挟持することになる。
また、長方形の踏み板１２の両短辺に形成した手掛け孔１５を有する種類にあっても、同様に、踏み板の孔カバー２０を踏み板１２に固定することができる。
【０００６】
【実施例】
以下、本発明を図示の実施例によって説明する。図１（ａ）中、１０は側溝であり、側溝１０は周知のＵ字溝１１と、Ｕ字溝１１の上面開口を閉じる踏み板１２とで構成されている。踏み板１２は平面形状が略長方形をなし、長手方向には平面形状が長方形をなす水抜き孔１５が形成されている。また、水抜き孔１５がない踏み板１２と交互に並べられている。なお、水抜き孔１２が大きいものにはグレーチング網が施されている。また、図１（ｂ）中、手掛け孔１５が（ａ）の水抜き孔１５と同様に作用するが、細長い方向が（ａ）と（ｂ）では直交し、グレーチング網は使われない相違がある。
【０００７】
本願の発明によれば、前記水抜き孔１５は図１で示すように、踏み板の孔カバー２０によって閉じられる。踏み板の孔カバー２０は合成樹脂を射出成形して作られており、平面形状が細長い長方形をなし、各角部は円形に面取りされている。ただし、前記踏み板の孔カバー２０の材質は合成樹脂に限らず、ステンレス、鋼、ゴム等でも可能である。また、踏み板の孔カバー２０の上面は周縁部２４が緩い傾斜を以て面取りされ、薄肉とされていて、歩行者がつまずかないように或いは自転車のタイヤに優しくなっている。前記周縁部２４は周囲の数箇所で切り欠かゝれ、表裏を貫通する通水孔２１が形成されている。踏み板の孔カバー２０の上に溜まった雨水や散水された水が通水孔２１を通してＵ字溝１１の中へ導かれる。さらに、踏み板の孔カバー２０には中心の厚肉部に滑り止めの突起２２が数多く設けられ、歩行者の歩行が妨げられないようになっている。踏み板の孔カバー２０の裏面は概ね平坦とされ、長手方向の中央部にのみ四角形の低いリブ２３が形成され補強されている。
【０００８】
次に、踏み板の孔カバー２０を水抜き孔１５へ取り付ける手段を説明する。前記したように、前記踏み板の孔カバー２０の裏面にフック部材３５がボルト止めされており、踏み板の孔カバー２０の両端部には長手方向に沿って細長く形成された長孔２７が設けられている。長孔２７は上面がやゝ大径をなし、下面の小径部との間に段部２５を有する段部付き孔とされる一方、前記段部２５の部分は裏面に僅かに突出させて後述するフック部材３５のための支持台２６をなすと共に、踏み板の孔カバー２０の肉厚を可及的に一定にして成形を容易にしている。
【０００９】
フック部材３５は図４〜図６で示すように、側面視が爪部３５ａと柱部３５ｂとで大略Ｌ字形をなしている。柱部３５ｂの頂部には上方へ突出させた角形ピン３５ｃとボルト孔３５ｄとが設けられ、前記角形ピン３５ｃは長孔２７に摺動可能に係合され、ボルト孔３５ｄに螺合させたボルト３９は頭部が前記段部２５によって支えられている。よって、踏み板の孔カバー２０にフック部材３５をボルト３９止めすると、踏み板カバー２０の長手方向の端部と、フック部材３５の爪部３５ａとの間に前記踏み板１２を挟持可能となる。
【００１０】
次に、踏み板の孔カバー２０を踏み板１２に取り付ける作業を説明する。まず、踏み板の孔カバー２０にはフック部材３５を取り付け、ボルト３９を緩めておく。両側のフック部材３５を長孔２７に沿って内側へ移動させ、両フック部材３５、３５間の距離を短くした状態で手掛け孔１５の上に踏み板カバー２０を載せ、前記フック部材３５を手掛け孔１５の中へ垂らしておく。この状態から前記ボルト３９を操作してフック部材３５を端部方向へ移動させれば、踏み板の孔カバー２０の下面とフック部材３５との間に踏み板１２が挟まれるから、ボルト３９を締めて固定すれば取り付けが完了する。
【００１１】
【発明の効果】
以上のように、この発明によれば、踏み板の孔カバー２０は既存の踏み板１２に改変を加えることなくしかもグレーチングがあってもなくても取り付けられる上、踏み板１２の上側から締着操作ができるから踏み板１２の取付け作業が容易であり、踏み板の孔カバー２０を取り付けた踏み板１２は、その上を歩行する者や自転車のの安全性が向上する。
また、踏み板の孔カバー２０はそれ自体や踏み板１２を破壊することなく容易に取り外すことができ、踏み板１２の修理や交換の妨げとなることがない。
踏み板の孔カバー２０は一般に合成樹脂によって作られ、耐水性や耐候性と共に、量産性に優れている。
踏み板の孔カバー２０は周縁が面取りされて低くなり、また、滑り止めの突起２２や通水孔２１によって優れた排水性を持つから、歩行の邪魔になったり、自転車への凹凸になることがないばかりか、孔１５を閉じることによる側溝内外の通気性低下を解消する。
踏み板の孔カバー２０は蛍光色に着色されれば、夜間の自動車や自転車の運転手に側溝の位置を認識させることができて一石二鳥の効果がある。
【図面の簡単な説明】
【図１】本発明の実施である側溝の踏み板の孔カバーを示す外観図である。
（ａ）踏み板の長辺に沿って形成された孔に設置した例である。
（ｂ）踏み板の短辺に設置した例である。
【図２】（ａ）本発明である踏み板の孔カバーの正面図である。
（ｂ）そのＩＩＩ−ＩＩＩ断面図で、左側は取り付け前、右側は取り付け後を示している。
【図３】踏み板の孔カバーの背面図である。
【図４】その要部であるフック部材の平面図である。
【図５】その要部であるフック部材の正面図である。
【図６】その要部であるフック部材の左側面図である。
【図７】従来の側溝の踏み板の孔を示すもので、グレーチング付きの外観図である。
【図８】従来のＵ字溝の踏み板の孔を示す外観図である。
【図９】従来のＵ字溝の踏み板の手掛け孔を示す外観図である。
【符号の説明】
１０・・・・側溝                １１・・・・Ｕ字溝
１２・・・・踏み板              １５・・・・孔（水抜き孔、手掛け孔）
２０・・・・踏み板の孔カバー    ２１・・・・通水孔
２２・・・・滑り止めの突起      ２３・・・・低いリブ
２４・・・・周縁部              ２５・・・・段部
２６・・・・支持台              ２７・・・・長孔
３５・・・・フック部材          ３５ａ・・・爪部
３５ｂ・・・柱部                ３５ｃ・・・角形ピン
３５ｄ・・・ボルト孔            ３９・・・・ボルト
４１・・・・グレーチング
【図１】
0003713344.tif 000002
【図２】
0003713344.tif 000003
【図３】
0003713344.tif 000004
【図４】
0003713344.tif 000005
【図５】
0003713344.tif 000006
【図６】
0003713344.tif 000007
【図７】
0003713344.tif 000008
【図８】
0003713344.tif 000009
【図９】
0003713344.tif 000010